(57)【要約】【課題】ユーティリティ消費量の変化を時刻と関連付けて容易に確認できる情報表示システムを提供する。【解決手段】施設に設けられる各ユーティリティ消費機器１の使用状態に関する情報を使用者に表示する情報表示システムＳであって、入力受付手段５が、過去の特定時刻においてユーティリティ消費機器１が使用されていたか否かの表示指令を受け付けると、演算制御手段３は、記憶手段４に記憶されている記憶情報に基づいて上記特定時刻で各ユーティリティ消費機器１が使用状態であるか或いは非使用状態であるかを導出し、表示制御手段６は、演算制御手段３による導出結果に基づいて、各ユーティリティ消費機器１が特定時刻において使用状態であるか或いは非使用状態であるかを区別して表示手段７に表示させる。【選択図】図１
2014142788.tif 000002
【特許請求の範囲】
【請求項１】
施設に設けられる各ユーティリティ消費機器の使用状態に関する情報を使用者に表示する情報表示システムであって、
前記ユーティリティ消費機器毎のユーティリティ消費量を監視する監視手段と、
前記監視手段が取得した前記ユーティリティ消費機器毎のユーティリティ消費量を、時刻情報と関連付けて記憶する記憶手段と、
使用者からの操作入力を受け付ける入力受付手段と、
情報を表示する表示手段と、
前記入力受付手段が受け付けた操作入力に対応する演算処理を行う演算制御手段と、
前記表示手段での情報の表示制御を行う表示制御手段とを備え、
前記入力受付手段が、使用者の操作入力によって、過去の特定時刻において前記ユーティリティ消費機器が使用されていたか否かの表示指令を受け付けると、
前記演算制御手段は、前記記憶手段に記憶されている記憶情報に基づいて前記特定時刻で前記各ユーティリティ消費機器が使用者によって使用されている使用状態であるか或いは使用されていない非使用状態であるかを前記ユーティリティ消費機器毎に導出し、
前記表示制御手段は、前記演算制御手段による導出結果に基づいて、前記各ユーティリティ消費機器が前記特定時刻において前記使用状態であるか或いは前記非使用状態であるかを区別して前記表示手段に表示させる情報表示システム。
【請求項２】
前記表示手段は、時刻が表示される時刻表示領域を有し、
前記入力受付手段は、前記時刻表示領域に表示されている時刻を変更させる操作入力を使用者が行ったとき、その変更後の時刻を前記特定時刻として受け付ける請求項１に記載の情報表示システム。
【請求項３】
前記時刻表示領域に表示されている時刻は、長針と短針とを有するアナログ式の時計によって表示され、
前記入力受付手段は、前記時刻表示領域に表示されている前記長針又は前記短針を変位させることで時刻を変更させる操作入力を使用者が行ったとき、その変更後の時刻を前記特定時刻として受け付ける請求項２に記載の情報表示システム。
【請求項４】
前記表示手段は、前記施設の間取図上に前記各ユーティリティ消費機器を表す画像が表示される機器表示領域を有し、
前記入力受付手段が、前記機器表示領域に表示されている一つの前記ユーティリティ消費機器を選択する操作入力を使用者から受け付けると、
前記演算制御手段は、前記記憶手段に記憶されている前記一つのユーティリティ消費機器のユーティリティ使用量に基づいて、前記一つのユーティリティ消費機器が現在において前記使用状態であるか或いは前記非使用状態であるかを導出すると共に、前記一つのユーティリティ消費機器が現在の前記使用状態又は前記非使用状態に遷移するに至った遷移時刻を特定し、並びに、前記一つのユーティリティ消費機器以外の他の前記ユーティリティ消費機器毎の前記遷移時刻でのユーティリティ消費量を前記記憶手段から読み出して、前記遷移時刻で前記他のユーティリティ消費機器が前記使用状態であるか或いは前記非使用状態であるかを前記他のユーティリティ消費機器毎に導出し、
前記表示制御手段は、前記遷移時刻を前記表示手段に表示させ、及び、前記演算制御手段による導出結果に基づいて、前記一つのユーティリティ消費機器及び前記他のユーティリティ消費機器が前記遷移時刻において前記使用状態であるか或いは前記非使用状態であるかを区別して前記表示手段に表示させる請求項１〜３の何れか一項に記載の情報表示システム。
【請求項５】
前記施設の内部を撮影して、その撮影した画像を前記記憶手段に記憶させる撮影手段を備え、
前記演算制御手段は、最新時刻での前記ユーティリティ消費機器毎のユーティリティ消費量を所定タイミングで前記記憶手段から読み出して、前記最新時刻で前記各ユーティリティ消費機器が使用者によって使用されている使用状態であるか或いは使用されていない非使用状態であるかを前記ユーティリティ消費機器毎に導出すると共に、前記最新時刻において前記使用状態と前記非使用状態との間での状態遷移が発生したユーティリティ消費機器を特定し、
前記撮影手段は、前記演算制御手段によって前記状態遷移が発生したと特定されると、前記状態遷移が発生したと特定されたユーティリティ消費機器が画像内に含まれる状態遷移時画像を撮影して、前記最新時刻と関連付けて前記状態遷移時画像を前記記憶手段に記憶させる請求項１〜３の何れか一項に記載の情報表示システム。
【請求項６】
前記表示手段は、前記施設の間取図上に前記各ユーティリティ消費機器を表す画像が表示される機器表示領域を有し、
前記入力受付手段が、前記機器表示領域に表示されている一つの前記ユーティリティ消費機器を選択する操作入力を使用者から受け付けると、
前記演算制御手段は、前記記憶手段に記憶されている前記一つのユーティリティ消費機器のユーティリティ使用量に基づいて、前記一つのユーティリティ消費機器が現在において前記使用状態であるか或いは前記非使用状態であるかを導出すると共に、前記一つのユーティリティ消費機器が現在の前記使用状態又は前記非使用状態に遷移するに至った遷移時刻を特定し、並びに、前記一つのユーティリティ消費機器以外の他の前記ユーティリティ消費機器毎の前記遷移時刻でのユーティリティ消費量を前記記憶手段から読み出して、前記遷移時刻で前記他のユーティリティ消費機器が前記使用状態であるか或いは前記非使用状態であるかを前記他のユーティリティ消費機器毎に導出し、
前記表示制御手段は、前記遷移時刻を前記表示手段に表示させ、及び、前記演算制御手段による導出結果に基づいて、前記一つのユーティリティ消費機器及び前記他のユーティリティ消費機器が前記遷移時刻において前記使用状態であるか或いは前記非使用状態であるかを区別して前記表示手段に表示させ、及び、前記記憶手段に記憶されている前記一つのユーティリティ消費機器の前記状態遷移時画像のうち、前記演算制御手段が特定した前記遷移時刻に最も近い時刻に撮影された状態遷移時画像を前記遷移時刻での状態遷移時画像として前記表示手段に表示させる請求項５に記載の情報表示システム。
【請求項７】
前記表示手段は、前記施設の間取図上に前記各ユーティリティ消費機器を表す画像が表示される機器表示領域を有し、
前記表示制御手段は、前記各ユーティリティ消費機器が前記使用状態であることを表す色彩と前記非使用状態であることを表す色彩とを変えることで、前記使用状態であるか或いは前記非使用状態であるかを区別して前記表示手段に表示させる請求項１〜６の何れか一項に記載の情報表示システム。
【発明の詳細な説明】
【技術分野】
【０００１】
本発明は、施設に設けられる各ユーティリティ消費機器の使用状態に関する情報を使用者に表示する情報表示システムに関する。
【背景技術】
【０００２】
近年、電力、ガス、水など、いわゆるユーティリティの消費量を表示することで、「エネルギーの見える化」を実現した装置が提案されている。例えば、汎用のコンピュータやタブレット機器の表示画面、或いは、専用の表示機などの表示画面を通じて、ユーティリティの消費量を使用者に明示することができる。このように、目に見えないユーティリティの消費量の現状を使用者に把握させることで、省エネルギーな行動を促すことができる。実際に「エネルギーの見える化」には一定の省エネルギー効果があることが一般に知られている。
【０００３】
特許文献１の図７及び図８には、電力消費量を数値やグラフで表示する情報表示装置（具体的には、ウェブブラウザ機能を搭載したパーソナルコンピュータやウェブブラウザ機能を搭載したネットテレビなどの端末）が開示されている。
【先行技術文献】
【特許文献】
【０００４】
【特許文献１】特開２００８−９２６８１号公報
【発明の概要】
【発明が解決しようとする課題】
【０００５】
現在提案されているユーティリティ消費量の表示用の情報表示システムは、特許文献１に記載のように、ユーティリティの消費量を単なる数値で表示する、又は、ユーティリティ消費量の時間的な変化状態をグラフで表示するものである。このような情報表示システムを用いると、ユーティリティ消費量に関する数値や、ユーティリティ消費量の変化状態などを知ることはできる。
【０００６】
しかし、ユーティリティ消費量に関する数値のみが表示されても、例えばあるユーティリティ消費機器をどのくらいの時間（例えば何時から何時まで）使用していたのかといった情報を使用者が直感的に得ることはできない。
また、エネルギー消費量の時間的な変化状態がグラフで表示されても、使用者自身がそのグラフ中から数値を読み取ることを行わなければ、特定の時刻でのユーティリティ消費量を知ることはできない。更に、特定の時刻でのユーティリティ消費量をグラフから読み取ったとしても、その特定の時刻においてどのユーティリティ消費機器を使用していたのかといった情報を使用者が直感的に得ることはできない。
【０００７】
尚、施設内をビデオや写真で継続的に撮影して記録しておけば、特定の時刻においてどのユーティリティ消費機器を使用していたのか、或いは、あるユーティリティ消費機器をどのくらいの時間（例えば何時から何時まで）使用していたのかについての情報を直感的に知ることはできる。しかし、施設内を行動する者にとって常時撮影されているという状況は精神的負担が大きく実現は困難である。
【０００８】
本発明は、上記の課題に鑑みてなされたものであり、その目的は、ユーティリティ消費機器の使用状態及び非使用状態を時刻と関連付けて容易に確認できる情報表示システムを提供する点にある。
【課題を解決するための手段】
【０００９】
上記目的を達成するための本発明に係る情報表示システムの特徴構成は、施設に設けられる各ユーティリティ消費機器の使用状態に関する情報を使用者に表示する情報表示システムであって、
前記ユーティリティ消費機器毎のユーティリティ消費量を監視する監視手段と、
前記監視手段が取得した前記ユーティリティ消費機器毎のユーティリティ消費量を、時刻情報と関連付けて記憶する記憶手段と、
使用者からの操作入力を受け付ける入力受付手段と、
情報を表示する表示手段と、
前記入力受付手段が受け付けた操作入力に対応する演算処理を行う演算制御手段と、
前記表示手段での情報の表示制御を行う表示制御手段とを備え、
前記入力受付手段が、使用者の操作入力によって、過去の特定時刻において前記ユーティリティ消費機器が使用されていたか否かの表示指令を受け付けると、
前記演算制御手段は、前記記憶手段に記憶されている記憶情報に基づいて前記特定時刻で前記各ユーティリティ消費機器が使用者によって使用されている使用状態であるか或いは使用されていない非使用状態であるかを前記ユーティリティ消費機器毎に導出し、
前記表示制御手段は、前記演算制御手段による導出結果に基づいて、前記各ユーティリティ消費機器が前記特定時刻において前記使用状態であるか或いは前記非使用状態であるかを区別して前記表示手段に表示させる点にある。
【００１０】
上記特徴構成によれば、入力受付手段が、使用者の操作入力によって過去の特定時刻においてユーティリティ消費機器が使用されていたか否かの表示指令を受け付けると、演算制御手段が、記憶手段に記憶されている記憶情報に基づいて特定時刻で各ユーティリティ消費機器が使用者によって使用されている使用状態であるか或いは使用されていない非使用状態であるかをユーティリティ消費機器毎に導出し、表示制御手段が、演算制御手段による導出結果に基づいて、各ユーティリティ消費機器が特定時刻において使用状態であるか或いは非使用状態であるかを区別して表示手段に表示させる。つまり、使用者は、上記特定時刻を指定する操作入力を行うだけで、その特定時刻において各ユーティリティ消費機器が使用状態であったか又は非使用状態であったかを表示手段において確認できる。
従って、ユーティリティ消費機器の使用状態及び非使用状態を時刻と関連付けて容易に確認できる情報表示システムを提供できる。
【００１１】
本発明に係る情報表示システムの別の特徴構成は、前記表示手段は、時刻が表示される時刻表示領域を有し、
前記入力受付手段は、前記時刻表示領域に表示されている時刻を変更させる操作入力を使用者が行ったとき、その変更後の時刻を前記特定時刻として受け付ける点にある。
【００１２】
上記特徴構成によれば、使用者は、過去の特定時刻を自由に設定して、その特定時刻において各ユーティリティ消費機器が使用状態であったか又は非使用状態であったかを表示手段において確認できる。
【００１３】
本発明に係る情報表示システムの更に別の特徴構成は、前記時刻表示領域に表示されている時刻は、長針と短針とを有するアナログ式の時計によって表示され、
前記入力受付手段は、前記時刻表示領域に表示されている前記長針又は前記短針を変位させることで時刻を変更させる操作入力を使用者が行ったとき、その変更後の時刻を前記特定時刻として受け付ける点にある。
【００１４】
上記特徴構成によれば、使用者が時計の長針又は短針を回すことで時刻を変更させると、その変更後の時刻が上記特定時刻として受け付けられる。その結果、使用者は時刻を変更させながら（即ち、上記特定時刻を変更させながら）、各ユーティリティ消費機器が使用状態であったか又は非使用状態であったかを表示手段において確認できる。
【００１５】
本発明に係る情報表示システムの更に別の特徴構成は、前記表示手段は、前記施設の間取図上に前記各ユーティリティ消費機器を表す画像が表示される機器表示領域を有し、
前記入力受付手段が、前記機器表示領域に表示されている一つの前記ユーティリティ消費機器を選択する操作入力を使用者から受け付けると、
前記演算制御手段は、前記記憶手段に記憶されている前記一つのユーティリティ消費機器のユーティリティ使用量に基づいて、前記一つのユーティリティ消費機器が現在において前記使用状態であるか或いは前記非使用状態であるかを導出すると共に、前記一つのユーティリティ消費機器が現在の前記使用状態又は前記非使用状態に遷移するに至った遷移時刻を特定し、並びに、前記一つのユーティリティ消費機器以外の他の前記ユーティリティ消費機器毎の前記遷移時刻でのユーティリティ消費量を前記記憶手段から読み出して、前記遷移時刻で前記他のユーティリティ消費機器が前記使用状態であるか或いは前記非使用状態であるかを前記他のユーティリティ消費機器毎に導出し、
前記表示制御手段は、前記遷移時刻を前記表示手段に表示させ、及び、前記演算制御手段による導出結果に基づいて、前記一つのユーティリティ消費機器及び前記他のユーティリティ消費機器が前記遷移時刻において前記使用状態であるか或いは前記非使用状態であるかを区別して前記表示手段に表示させる点にある。
【００１６】
上記特徴構成によれば、入力受付手段が、機器表示領域に表示されている一つのユーティリティ消費機器を選択する操作入力を使用者から受け付けると、演算制御手段は、記憶手段に記憶されている一つのユーティリティ消費機器のユーティリティ使用量に基づいて、一つのユーティリティ消費機器が現在において使用状態であるか或いは非使用状態であるかを導出すると共に、一つのユーティリティ消費機器が現在の使用状態又は非使用状態に遷移するに至った遷移時刻を特定し、並びに、一つのユーティリティ消費機器以外の他のユーティリティ消費機器毎の遷移時刻でのユーティリティ消費量を記憶手段から読み出して、遷移時刻で他のユーティリティ消費機器が使用状態であるか或いは非使用状態であるかを他のユーティリティ消費機器毎に導出し、表示制御手段は、遷移時刻を表示手段に表示させ、及び、演算制御手段による導出結果に基づいて、一つのユーティリティ消費機器及び他のユーティリティ消費機器が遷移時刻において使用状態であるか或いは非使用状態であるかを区別して表示手段に表示させる。つまり、使用者は、上記一つのユーティリティ消費機器を選択する操作入力を行うだけで、その一つのユーティリティ消費機器が現在の使用状態又は非使用状態に遷移するに至った遷移時刻と、その遷移時刻での各ユーティリティ消費機器の使用状態又は非使用状態の区別を表示手段において確認できる。
【００１７】
本発明に係る情報表示システムの更に別の特徴構成は、前記施設の内部を撮影して、その撮影した画像を前記記憶手段に記憶させる撮影手段を備え、
前記演算制御手段は、最新時刻での前記ユーティリティ消費機器毎のユーティリティ消費量を所定タイミングで前記記憶手段から読み出して、前記最新時刻で前記各ユーティリティ消費機器が使用者によって使用されている使用状態であるか或いは使用されていない非使用状態であるかを前記ユーティリティ消費機器毎に導出すると共に、前記最新時刻において前記使用状態と前記非使用状態との間での状態遷移が発生したユーティリティ消費機器を特定し、
前記撮影手段は、前記演算制御手段によって前記状態遷移が発生したと特定されると、前記状態遷移が発生したと特定されたユーティリティ消費機器が画像内に含まれる状態遷移時画像を撮影して、前記最新時刻と関連付けて前記状態遷移時画像を前記記憶手段に記憶させる点にある。
【００１８】
上記特徴構成によれば、演算制御手段は、最新時刻でのユーティリティ消費機器毎のユーティリティ消費量を所定タイミングで記憶手段から読み出して、最新時刻で各ユーティリティ消費機器が使用者によって使用されている使用状態であるか或いは使用されていない非使用状態であるかをユーティリティ消費機器毎に導出すると共に、最新時刻において使用状態と非使用状態との間での状態遷移が発生したユーティリティ消費機器を特定し、撮影手段は、演算制御手段によって状態遷移が発生したと特定されると、状態遷移が発生したと特定されたユーティリティ消費機器が画像内に含まれる状態遷移時画像を撮影して、最新時刻と関連付けて状態遷移時画像を記憶手段に記憶させる。その結果、使用者は、上記状態遷移が発生したときの光景を状態遷移時画像から知ることができる。また、撮影手段は、上記状態遷移が発生したときにのみ、その状態遷移が発生したと特定されたユーティリティ消費機器が画像内に含まれる状態遷移時画像を撮影するので、状態遷移時画像を記憶しておくのに必要な記憶容量を小さくすることができる。更に、使用者は、撮影手段によって常時撮影されている訳ではないので、撮影されているという精神的負担は小さくなる。
【００１９】
本発明に係る情報表示システムの更に別の特徴構成は、前記表示手段は、前記施設の間取図上に前記各ユーティリティ消費機器を表す画像が表示される機器表示領域を有し、
前記入力受付手段が、前記機器表示領域に表示されている一つの前記ユーティリティ消費機器を選択する操作入力を使用者から受け付けると、
前記演算制御手段は、前記記憶手段に記憶されている前記一つのユーティリティ消費機器のユーティリティ使用量に基づいて、前記一つのユーティリティ消費機器が現在において前記使用状態であるか或いは前記非使用状態であるかを導出すると共に、前記一つのユーティリティ消費機器が現在の前記使用状態又は前記非使用状態に遷移するに至った遷移時刻を特定し、並びに、前記一つのユーティリティ消費機器以外の他の前記ユーティリティ消費機器毎の前記遷移時刻でのユーティリティ消費量を前記記憶手段から読み出して、前記遷移時刻で前記他のユーティリティ消費機器が前記使用状態であるか或いは前記非使用状態であるかを前記他のユーティリティ消費機器毎に導出し、
前記表示制御手段は、前記遷移時刻を前記表示手段に表示させ、及び、前記演算制御手段による導出結果に基づいて、前記一つのユーティリティ消費機器及び前記他のユーティリティ消費機器が前記遷移時刻において前記使用状態であるか或いは前記非使用状態であるかを区別して前記表示手段に表示させ、及び、前記記憶手段に記憶されている前記一つのユーティリティ消費機器の前記状態遷移時画像のうち、前記演算制御手段が特定した前記遷移時刻に最も近い時刻に撮影された状態遷移時画像を前記遷移時刻での状態遷移時画像として前記表示手段に表示させる点にある。
【００２０】
上記特徴構成によれば、入力受付手段が、機器表示領域に表示されている一つのユーティリティ消費機器を選択する操作入力を使用者から受け付けると、演算制御手段は、記憶手段に記憶されている一つのユーティリティ消費機器のユーティリティ使用量に基づいて、一つのユーティリティ消費機器が現在において使用状態であるか或いは非使用状態であるかを導出すると共に、一つのユーティリティ消費機器が現在の使用状態又は非使用状態に遷移するに至った遷移時刻を特定し、並びに、一つのユーティリティ消費機器以外の他のユーティリティ消費機器毎の遷移時刻でのユーティリティ消費量を記憶手段から読み出して、遷移時刻で他のユーティリティ消費機器が使用状態であるか或いは非使用状態であるかを他のユーティリティ消費機器毎に導出し、表示制御手段は、遷移時刻を表示手段に表示させ、及び、演算制御手段による導出結果に基づいて、一つのユーティリティ消費機器及び他のユーティリティ消費機器が遷移時刻において使用状態であるか或いは非使用状態であるかを区別して表示手段に表示させ、及び、記憶手段に記憶されている一つのユーティリティ消費機器の状態遷移時画像のうち、演算制御手段が特定した遷移時刻に最も近い時刻に撮影された状態遷移時画像を遷移時刻での状態遷移時画像として表示手段に表示させる。つまり、使用者は、上記一つのユーティリティ消費機器を選択する操作入力を行うだけで、その一つのユーティリティ消費機器が現在の使用状態又は非使用状態に遷移するに至った遷移時刻での各ユーティリティ消費機器の使用状態又は非使用状態の区別を表示手段において確認でき、加えて、その状態遷移が発生したときの光景を状態遷移時画像から知ることができる。
【００２１】
本発明に係る情報表示システムの更に別の特徴構成は、前記表示手段は、前記施設の間取図上に前記各ユーティリティ消費機器を表す画像が表示される機器表示領域を有し、
前記表示制御手段は、前記各ユーティリティ消費機器が前記使用状態であることを表す色彩と前記非使用状態であることを表す色彩とを変えることで、前記使用状態であるか或いは前記非使用状態であるかを区別して前記表示手段に表示させる点にある。
【００２２】
上記特徴構成によれば、表示制御手段は、各ユーティリティ消費機器が使用状態であることを表す色彩と非使用状態であることを表す色彩とを変えることで、使用状態であるか或いは非使用状態であるかを区別して表示手段に表示させる。その結果、使用者は、表示手段に表示されている色彩の違いを認識するだけで、各ユーティリティ消費機器が使用状態であるか或いは非使用状態であるかを容易に把握することができる。
【図面の簡単な説明】
【００２３】
【図１】第１実施形態の情報表示システムの構成を説明する図である。
【図２】第１実施形態での表示手段における表示画面例を示す図である。
【図３】第２実施形態の情報表示システムの構成を説明する図である。
【図４】第２実施形態での表示手段における表示画面例を示す図である。
【図５】時刻表示領域における時刻表示例を示す図である。
【発明を実施するための形態】
【００２４】
＜第１実施形態＞
以下に図面を参照して第１実施形態の情報表示システムＳ１（Ｓ）について説明する。図１は、第１実施形態の情報表示システムＳ１の構成を説明する図である。
本実施形態の情報表示システムＳ１は、施設に設けられる各ユーティリティ消費機器１の使用状態に関する情報を使用者に表示するために用いられる。この情報表示システムＳ１は、ユーティリティ消費機器１毎のユーティリティ消費量を監視する監視手段２と、監視手段２が取得したユーティリティ消費機器１毎のユーティリティ消費量を、時刻情報と関連付けて記憶する記憶手段４と、使用者からの操作入力を受け付ける入力受付手段５（マウス、キーボード、タッチパネルなど）と、情報を表示する表示手段７と、入力受付手段５が受け付けた操作入力に対応する演算処理を行う演算制御手段３と、表示手段７での情報の表示制御を行う表示制御手段６とを備える。
【００２５】
監視手段２は、電力消費機器、ガス消費機器、水消費機器などの各ユーティリティ消費機器１のユーティリティ消費量を監視する。例えば、電力消費機器としては、テレビ３１や空調機器３０や照明機器３５や電子レンジ３２や電気式湯沸器３３などがあり、ガス消費機器としては、コンロ３４などがあり、水消費機器としては風呂やシャワーなどがある。尚、例えば、風呂やシャワーなどは、ガスや電気を用いて水を昇温するため、水消費機器として分類されるだけでなく、電力消費機器やガス消費機器としても分類され得る。
監視手段２は、各電力消費機器における電力消費量を、その電力消費機器が接続されている電気コンセント毎の電力消費量を計測することにより知ることができる。また、監視手段２は、各ガス消費機器におけるガス消費量を、個別のガスメーターにより知ることができる。更に、監視手段２は、各水消費機器における水消費量を、個別の水道メーターにより知ることができる。そして、監視手段２が得たユーティリティ消費量（電力消費量、ガス消費量、水消費量）の情報は、演算制御手段３が、それらの値を得た時刻を示す時刻情報と関連付けて記憶手段４に伝達して記憶させる。このとき、演算制御手段３は、外部の計時部又は内蔵する計時部から時刻情報を得ることができる。
【００２６】
図２は、表示手段７における表示画面例を示す図である。例えば、この表示手段７は、施設に設置されている汎用のコンピュータの表示装置や、携帯型の情報端末の表示装置や、本発明の情報表示システムＳ１のために専用に設けられている表示装置を用いて実現できる。そして、使用者からの操作入力を受け付ける入力受付手段５は、汎用のコンピュータに設けられているキーボードやマウスなどの入力機器、表示手段７の画面に設けられているタッチパネル式の入力受付部などを用いて実現される。
情報表示システムＳ１が備える演算制御手段３及び表示制御手段６は、上述した汎用のコンピュータや情報端末や専用の表示装置が内蔵している演算処理装置などを用いて実現できる。
【００２７】
図２の表示画面例では、施設の間取図上に各ユーティリティ消費機器１を表す画像が表示される機器表示領域２０と、時刻が表示される時刻表示領域１０とが描かれている。
【００２８】
機器表示領域２０には、部屋Ａ〜部屋Ｊの１０個の部屋の間取りが表示されている。本実施形態では、各部屋に図形（アイコン）を付記して、その部屋の属性を表している。例えば、部屋Ａには「ぬいぐるみ」の図形を付記して、それが子供部屋であることを表している。部屋Ｂには「ナイフ、フォーク」の図形を付記して、それがダイニングルームであることを表している。部屋Ｃには「靴」の図形を付記して、それが玄関であることを表している。部屋Ｄには「服」の図形を付記して、それが脱衣部屋であることを表している。部屋Ｅには「カップ」の図形を付記して、それがリビングルームであることを表している。部屋Ｆには「男女」の図形を付記して、それがトイレであることを表している。部屋Ｇには「フライパン」の図形を付記して、それが台所であることを表している。部屋Ｈには「ベッド」の図形を付記して、それが寝室であることを表している。部屋Ｉは図形を付記していないが、納戸に対応する。部屋Ｊは「シャワー」の図形を付記して、それが浴室であることを表している。
【００２９】
図２の機器表示領域２０では、各ユーティリティ消費機器１が使用状態であることを表す色彩と非使用状態であることを表す色彩とが変えて表示される。本実施形態において、演算制御手段３は、ユーティリティ消費機器１のユーティリティ消費量を記憶手段４から読み出して、そのユーティリティ消費機器１が使用者によって使用されている使用状態であるか或いは使用されていない非使用状態であるかをユーティリティ消費機器１毎に導出する。例えば、ユーティリティ消費機器１がテレビ３１であれば、オフ状態のままで待機中のときの消費電力とオン状態で動作中のときの消費電力との間に、閾値とする消費電力を設定しておき、演算制御手段３は、その閾値とする消費電力との比較により、テレビ３１が使用状態であるか或いは非使用状態であるかを導出することができる。他にも、ユーティリティ消費機器１が冷蔵庫であれば、扉が閉じられているとき（「非使用状態」と見なす）の消費電力と、扉が開けられているとき（「使用状態」と見なす）の消費電力との間に、閾値とする消費電力を設定しておき、演算制御手段３は、その閾値とする消費電力との比較により、冷蔵庫が使用状態であるか或いは非使用状態であるかを導出することができる。
【００３０】
図２では、各部屋の色彩自体が、各部屋に設けられる照明機器３５が使用状態であるか或いは非使用状態であるかを表す。つまり、各部屋の図形自体が照明機器３５に対応付けられている。図２の表示画面例では、演算制御手段３は、部屋Ａ、Ｂ、Ｅ、Ｇを明るい色彩で表示させており、それらの部屋に設けられる各照明機器３５が使用状態であることを意味している。これに対して、図２の表示画面例では、演算制御手段３は、部屋Ｃ、Ｄ、Ｆ、Ｈ、Ｉ、Ｊを暗い色彩で表示させており、それらの部屋に設けられる各照明機器３５が非使用状態であることを意味している。
【００３１】
他にも、演算制御手段３は、部屋Ａに設けられている空調機器３０、部屋Ｂに設けられている空調機器３０、部屋Ｅに設けられているテレビ３１、部屋Ｇに設けられている電子レンジ３２、部屋Ｇに設けられている電気式湯沸器３３、部屋Ｇに設けられているコンロ３４などについても、使用状態であるか或いは非使用状態であるかを色彩を変えて表示させる。
【００３２】
次に、情報表示システムＳ１の動作例について図１及び図２を参照して説明する。
【００３３】
〔時刻表示領域１０に対する操作入力〕
図２の時刻表示領域１０に対して操作入力があった場合の情報表示システムＳ１の動作例について説明する。
図２に示す表示画面例において、時刻表示領域１０に表示されている時刻は、長針１０ａと短針１０ｂとを有するアナログ式の時計によって表示される。そして、入力受付手段５が、使用者の操作入力によって、過去の特定時刻においてユーティリティ消費機器１が使用されていたか否かの表示指令を受け付けると、演算制御手段３は、記憶手段４に記憶されている記憶情報に基づいて特定時刻で各ユーティリティ消費機器１が使用者によって使用されている使用状態であるか或いは使用されていない非使用状態であるかをユーティリティ消費機器１毎に導出し、表示制御手段６は、演算制御手段３による導出結果に基づいて、各ユーティリティ消費機器１が特定時刻において使用状態であるか或いは非使用状態であるかを区別して表示手段７に表示させる。
【００３４】
上述のように、記憶手段４は、ユーティリティ消費機器１毎のユーティリティ消費量を時刻情報と関連付けて記憶している。その結果、演算制御手段３は、入力受付手段５が受け付けた特定時刻でのユーティリティ消費機器１毎のユーティリティ消費量（即ち、上記「記憶情報」に対応）を記憶手段４から読み出して、特定時刻で各ユーティリティ消費機器１が使用者によって使用されている使用状態であるか或いは使用されていない非使用状態であるかをユーティリティ消費機器１毎に導出することができる。
或いは、演算制御手段３は、監視手段２が得た所定時刻でのユーティリティ消費量（電力消費量、ガス消費量、水消費量）の情報を記憶手段４に記憶させるとき、その所定時刻において各ユーティリティ消費機器１が使用状態であるか或いは非使用状態であるかを導出し、その導出結果も併せて記憶手段４に記憶させてもよい。その場合、入力受付手段５が、使用者の操作入力によって、過去の特定時刻においてユーティリティ消費機器１が使用されていたか否かの表示指令を受け付けると、演算制御手段３は、記憶手段４に記憶されている各ユーティリティ消費機器１が使用状態であるか或いは非使用状態であるかの情報（即ち、上記「記憶情報」）に基づいて特定時刻で各ユーティリティ消費機器１が使用状態であるか或いは非使用状態であるかを導出できる。
【００３５】
具体的には、情報表示システムＳ１の使用者は、例えば画面上に表示されているマウス（入力受付手段５）のカーソルで時刻表示領域１０に表示されている長針１０ａ又は短針１０ｂを選択して、或いは、画面上のタッチパネル（入力受付手段５）を指やペンなどで触れることで時刻表示領域１０に表示されている長針１０ａ又は短針１０ｂを選択して、その長針１０ａ又は短針１０ｂを変位させることで時刻を変更させる操作入力を行うことができる。そして、入力受付手段５は、このような操作入力を使用者が行ったとき、その変更後の時刻を上記特定時刻として受け付ける。そして、上記特定時刻は、入力受付手段５から演算制御手段３へと伝達される。演算制御手段３は、その特定時刻においてユーティリティ消費機器１が使用状態であるか又は非使用状態であるかを導出し、表示制御手段６に対して、各ユーティリティ消費機器１が特定時刻において使用状態であるか或いは非使用状態であるかを区別して表示手段７に表示させる。従って、使用者が時刻を連続的に変化させるような操作入力を行ったとき、即ち、演算制御手段３に伝達される特定時刻が連続的に変化する場合、演算制御手段３は、その都度、各ユーティリティ消費機器１が使用状態であるか又は非使用状態であるかを導出して、表示手段７において更新表示させるようにする。つまり、使用者が時刻を連続的に変化させるような操作入力を行ったとき、表示手段７には、各ユーティリティ消費機器１の使用状態又は非使用状態の推移が、あたかも動画のように表示されることになる。
【００３６】
以上の結果、機器表示領域２０に表示されている各ユーティリティ消費機器１について色彩を異ならせて表示される使用状態及び非使用状態と、時刻表示領域１０に表示されている時刻とが対応したものとなる。特に、時刻表示領域１０に表示されている時刻は、使用者の操作入力によって自在に変更できるものである。従って、どの時刻にどのユーティリティ消費機器１が使用状態又は非使用状態であったのかを容易に知ることができる。
【００３７】
〔機器表示領域２０に対する操作入力〕
次に、図２の機器表示領域２０に対して操作入力があった場合の情報表示システムＳ１の動作例について説明する。
図２に示す表示画面例において、機器表示領域２０には各ユーティリティ消費機器１に対応する図形が表示される。そして、入力受付手段５が、機器表示領域２０に表示されている一つのユーティリティ消費機器１を選択する操作入力を使用者から受け付けると、演算制御手段３は、記憶手段４に記憶されている一つのユーティリティ消費機器１のユーティリティ使用量に基づいて、一つのユーティリティ消費機器１が現在において使用状態であるか或いは非使用状態であるかを導出すると共に、一つのユーティリティ消費機器１が現在の使用状態又は非使用状態に遷移するに至った遷移時刻を特定し、並びに、一つのユーティリティ消費機器１以外の他のユーティリティ消費機器１毎の遷移時刻でのユーティリティ消費量を記憶手段４から読み出して、遷移時刻で他のユーティリティ消費機器１が使用状態であるか或いは非使用状態であるかを他のユーティリティ消費機器１毎に導出し、表示制御手段６は、遷移時刻を表示手段７に表示させ、及び、演算制御手段３による導出結果に基づいて、一つのユーティリティ消費機器１及び他のユーティリティ消費機器１が遷移時刻において使用状態であるか或いは非使用状態であるかを区別して表示手段７に表示させる。
【００３８】
例えば、現在時刻において、特定の一つの照明機器３５が使用状態として表示されている場合、その一つの照明機器３５が過去の何時の時点から使用状態になっていたのかを知りたいという要望が存在する。そのような場合、使用者は、その一つの照明機器３５に対応して表示されている部屋の図形を選択する操作入力を行う。そうすると、その一つの照明機器３５が現在の使用状態に遷移するに至った遷移時刻が表示手段７に表示され、及び、一つの照明機器３５及び他のユーティリティ消費機器１がその遷移時刻において使用状態であるか或いは非使用状態であるかが表示手段７に表示される。従って、使用者は、その一つの照明機器３５が過去の何時の時点から使用状態になっていたのかを容易に知ることができる。
【００３９】
＜第２実施形態＞
第２実施形態の情報表示システムＳ２（Ｓ）は、撮影手段８を備えている点で上述した第１実施形態の情報表示システムＳ１と異なっている。以下に第２実施形態の情報表示システムＳ２について説明するが、第１実施形態と同様の構成については説明を省略する。
【００４０】
図３は、第２実施形態の情報表示システムＳ２の構成を説明する図である。図４は、第２実施形態での表示手段７における表示画面例を示す図である。
第２実施形態の情報表示システムＳ２は、施設の内部を撮影して、その撮影した画像を記憶手段４に記憶させる撮影手段８を備える。撮影手段８は、全ての部屋に設置してもよく、或いは、特定の一又は複数の部屋にのみ設置してもよい。また、撮影した画像内にその部屋の全体が含まれるような位置に撮影手段８を設置することが好ましい。
【００４１】
本実施形態において、撮影手段８は後述するようなタイミングで撮影を行う。
具体的には、演算制御手段３は、最新時刻でのユーティリティ消費機器１毎のユーティリティ消費量を所定タイミングで記憶手段４から読み出して、最新時刻で各ユーティリティ消費機器１が使用者によって使用されている使用状態であるか或いは使用されていない非使用状態であるかをユーティリティ消費機器１毎に導出すると共に、最新時刻において使用状態と非使用状態との間での状態遷移が発生したユーティリティ消費機器１を特定する。
そして、撮影手段８は、演算制御手段３によって状態遷移が発生したと特定されると、状態遷移が発生したと特定されたユーティリティ消費機器１が画像内に含まれる状態遷移時画像９を演算制御手段３からの指令により撮影してその画像データを演算制御手段３に伝達する。そして、演算制御手段３により、状態遷移時画像９の画像データが最新時刻と関連付けて記憶手段４に記憶される。
【００４２】
この情報表示システムＳ２において、入力受付手段５が、機器表示領域２０に表示されている一つのユーティリティ消費機器１を選択する操作入力を使用者から受け付けると、演算制御手段３は、記憶手段４に記憶されている一つのユーティリティ消費機器１のユーティリティ使用量に基づいて、一つのユーティリティ消費機器１が現在において使用状態であるか或いは非使用状態であるかを導出すると共に、一つのユーティリティ消費機器１が現在の使用状態又は非使用状態に遷移するに至った遷移時刻を特定し、並びに、一つのユーティリティ消費機器１以外の他のユーティリティ消費機器１毎の遷移時刻でのユーティリティ消費量を記憶手段４から読み出して、遷移時刻で他のユーティリティ消費機器１が使用状態であるか或いは非使用状態であるかを他のユーティリティ消費機器１毎に導出する。
【００４３】
そして、表示制御手段６は、遷移時刻を表示手段７に表示させ、及び、演算制御手段３による導出結果に基づいて、一つのユーティリティ消費機器１及び他のユーティリティ消費機器１が遷移時刻において使用状態であるか或いは非使用状態であるかを区別して表示手段７に表示させ、及び、記憶手段４に記憶されている一つのユーティリティ消費機器１の状態遷移時画像９のうち、演算制御手段３が特定した遷移時刻に最も近い時刻に撮影された状態遷移時画像９を遷移時刻での状態遷移時画像９として表示手段７に表示させる。
図４に示す表示画面例では、使用者が入力受付手段５によって部屋Ａの空調機器３０（１）を選択したため、その空調機器３０が含まれる状態遷移時画像９が部屋Ａに表示されている。
【００４４】
以上のように、第２実施形態の情報表示システムＳ２では、使用者は、一つのユーティリティ消費機器１を選択する操作入力を行うだけで、その一つのユーティリティ消費機器１が現在の使用状態又は非使用状態に遷移するに至った遷移時刻と、その遷移時刻での各ユーティリティ消費機器１の使用状態又は非使用状態の区別を表示手段７において確認でき、加えて、その状態遷移が発生したときの光景を状態遷移時画像９から知ることができる。つまり、過去の何時の時点から空調機器３０が使用状態になっていたのかを、使用者は状態遷移時画像９を参照して確認できる。
【００４５】
＜別実施形態＞
＜１＞
上記実施形態で説明した機器表示領域２０は一例として記載したものであり、その表示形態は図２及び図４に示したものに限定されない。例えば、図２及び図４では、部屋の図形自体を照明機器３５を表すものとして記載したが、照明機器３５を個別に図形として記載してもよい。
同様に、時計表示領域についても一例として記載したものであり、その表示形態は図２及び図４に示したものに限定されない。例えば、図２及び図４では、アナログ式の時計によって時刻を表示し、使用者が、長針１０ａ又は短針１０ｂを変位させることで時刻を変更させる操作入力を行う構成を示したが、デジタル式の時計によって時刻を表示するような変更も可能である。
【００４６】
図５は、時刻表示領域１０における時刻表示例を示す図である。図５に示す時刻表示領域１０では、時刻はデジタル式の時計部分１０ｃによって表示されている。加えて、時計部分１０ｃの下方には、時刻操作バー１０ｄが表示されている。この時刻操作バー１０ｄでは、左端が時刻００：００（０時０分）に対応付けられ、右端が時刻２４：００（２４時０分）に対応付けられている。そして、時刻操作バー１０ｄの途中にあるポインタ１０ｅの位置が、時計部分１０ｃに表示されている時刻に対応する。つまり、このポインタ１０ｅの位置を左右に動かす操作入力を行うことで、時計部分１０ｃに表示されている時刻が変更され、その変更後の時刻が上記特定時刻として受け付けられる。
【００４７】
＜２＞
上記実施形態では、使用者からの操作入力があった場合にどのような表示を行うのかについて説明したが、使用者からの操作入力が無い場合にも表示手段７においてユーティリティ消費機器１毎の使用状態及び非使用状態を逐次更新して表示させることもできる。例えば、演算制御手段３は、最新時刻でのユーティリティ消費機器１毎のユーティリティ消費量を所定タイミングで記憶手段４から読み出して、最新時刻で各ユーティリティ消費機器１が使用者によって使用されている使用状態であるか或いは使用されていない非使用状態であるかをユーティリティ消費機器１毎に導出する。そして、表示制御手段６は、演算制御手段３による導出結果に基づいて、各ユーティリティ消費機器１が最新時刻において使用状態であるか或いは非使用状態であるかを区別して表示手段７に更新表示させる。
【産業上の利用可能性】
【００４８】
本発明は、ユーティリティ消費量の変化を時刻と関連付けて容易にできる情報表示システムに利用できる。
【符号の説明】
【００４９】
１  ユーティリティ消費機器
２  監視手段
３  演算制御手段
４  記憶手段
５  入力受付手段
６  表示制御手段
７  表示手段
８  撮影手段
９  状態遷移時画像
１０  時刻表示領域
１０ａ  長針
１０ｂ  短針
１０ｃ  時計部分
１０ｄ  時刻操作バー
１０ｅ  ポインタ
２０  機器表示領域
３０  空調機器（ユーティリティ消費機器  １）
３１  テレビ（ユーティリティ消費機器  １）
３２  電子レンジ（ユーティリティ消費機器  １）
３３  電気式湯沸器（ユーティリティ消費機器  １）
３４  コンロ（ユーティリティ消費機器  １）
３５  照明機器（ユーティリティ消費機器  １）
Ｓ（Ｓ１、Ｓ２）  情報表示システム
【図１】
2014142788.tif 000003
【図２】
2014142788.tif 000004
【図３】
2014142788.tif 000005
【図４】
2014142788.tif 000006
【図５】
2014142788.tif 000007